(57)【要約】【課題】本発明は、ＡＴＭ・ＣＤの収容を目的とする屋外型無人ブースの防犯機能を効率的に強化し、ＡＴＭ・ＣＤへの破壊行為を困難とし、さらに、防犯の強化を犯罪者に認識させる構造とすることで、犯罪の抑止効果を向上し、ＡＴＭ・ＣＤ内部の現金を狙った犯罪を減少することをその課題とする。【解決手段】柱と外壁、そして、出入口扉、屋根、天井と床を持つ任意の形状であり、その室内には、外壁とは別の壁を四方に持つ機械室を有し、さらに、機械室の壁には、機械室内に出入りするための施錠可能な扉やＡＴＭ・ＣＤ等の装置を埋め込み設置するための開口を持つブースシステム。【選択図】  図３
2004324236.tif 000002
【特許請求の範囲】
【請求項１】
柱と外壁、そして、出入口扉、屋根、天井と床を持つ任意の形状であり、その室内には、外壁とは別の壁を四方に持つ機械室を有し、さらに、機械室の壁には、機械室内に出入りするための施錠可能な扉やＡＴＭ・ＣＤ等の装置を埋め込み設置するための開口を持つブースシステム。
【請求項２】
ブース外壁と機械室の壁との間には空間を設け、ブース外部から機械室への侵入に対し、必ず２重の壁が存在することを認識させる請求項１のブースシステム。
【請求項３】
機械室と近接する部分の外壁をより厚くすることで、ブース外壁で特に機械室付近は防犯が強化されていることを認識させる請求項１のブースシステム。
【請求項４】
ＡＴＭ・ＣＤ等の装置前面を任意の形状の堅牢なカバーで保護し、さらに、カバーの取り外しは機械室内部から行うことで、ＡＴＭ・ＣＤ前面にカバーの開閉部や錠前が無い構造とした請求項１のブースシステム。
【請求項５】
機械室の扉の錠前は、鍵穴を室内側のみに設けた構造とし、機械室の外側から扉を施錠・開錠する場合、機械室の扉または壁に設けた開口部から鍵を持った手を内側に入れ、鍵穴に鍵を挿入して行うことで、機械工具等による錠前の破壊を困難とする請求項１のブースシステム。
【請求項６】
請求項５において、機械室の扉または壁の開口部に施錠できる透明な材質の扉を設け、この扉を開いた場合、警報装置が作動し、警備会社や警察等へ通報する。また、透明な材質であることで、扉の鍵穴が内側にしかないことを認識させるブースシステム。
【請求項７】
機械室の柱の一部にＨ鋼を使用し、大型重機を使用しても短時間での破壊が困難である構造とし、さらに、柱の形状を認識し易いデザインとすることで、柱の強化を認識させる請求項１のブースシステム。
【請求項８】
ブースに対する破壊等の衝撃や、ブースへの不法侵入を検知した場合、警報装置が作動し、警備会社や警察等へ通報する機能を有した請求項１から７のいずれかのブースシステム。
【発明の詳細な説明】
【０００１】
【発明の属する技術分野】
本発明は、防犯機能を有するブースシステムに関するものである。特に、ＡＴＭ、ＣＤ等の装置の設置を目的とする屋外型無人ブースシステムに関するものである。
【０００２】
【従来の技術】
金融機関では、顧客サービスと業務効率を向上するためＡＴＭ、ＣＤの設置を拡大してきた。
【０００３】
しかし、ＡＴＭ・ＣＤ内には預金の引き出し・預け入れ・振込み等の取引に必要な多額な現金が常時保管されているため、犯罪に遭う可能性も同時に高くなった。特に、ＡＴＭ・ＣＤを設置した屋外型の無人ブースは、無人であるため店内を自由に下調べでき、規模が小さいため全体の状況を短期間で把握でき、さらに、プレハブ構造のため、鉄筋コンクリートや鉄骨造りの有人店舗と比べ脆弱であり、犯罪に対し最も狙われやすい店舗形態と考えられる。
【０００４】
金融機関の防犯対策は警備会社によるものが多く、入口扉等の開閉部にタイマー制御や遠隔制御で施錠・開錠できる錠前を設置し、監視カメラ、人体検知器、衝撃検知器、扉の開閉検知器等の各種検知器、警備会社への通報装置等の各種防犯機器を店舗に設置する。警備会社は通報装置からの通報で現場に急行し、犯罪を発見した場合、警察に通報する仕組みとなっている。よって、犯罪を防ぐかどうかは、犯罪を検知してから警備会社が現場に到着するまでの時間との勝負ある。このため、金融機関としては、前述の屋外型無人ブースのような狙われ易いブースの構造をできるだけ頑丈とすることが防犯上重要であるが、店舗運用に占める警備費用の割合が大きいことや、経営環境が年々、厳しくなるなか、ブースに対する十分な投資ができず、耐久性を確保するか、一部金融機関でみられるＡＴＭ・ＣＤの前面にシャッターを設置する程度の対応となっている。
【０００５】
さらに、近年、消費者金融が契約機とＡＴＭ・ＣＤを併設した屋外型ブースを短期間で全国に出店し急速に売上を伸ばしたが、低価格、短納期に重点を置いたブースとしたため防犯性は従来のブースより低く、また、郊外に多くのブースを設置したため、屋外型無人ブースに対する犯罪の増加にもつながっている。
【０００６】
一方、犯罪内容は、バールやドリルの工具等でブースやＡＴＭ・ＣＤを破壊するものから、より確実に短時間で犯行を行うため、ブルドーザー等の重機でブースを一気に破壊し、ＡＴＭごと強奪する大掛かりなものにエスカレートしてきており、警備会社だけでは対応が困難な状況となりつつある。
【０００７】
【特許文献】
なし
【０００８】
【発明が解決しようとする課題】
本発明は、金融機関が設置する屋外型無人ブースの現状を考慮し、屋外型無人ブースの防犯機能を効率的に強化し、ＡＴＭ・ＣＤへの破壊行為を困難とし、さらに、それを犯罪者に認識させる構造とすることで、犯罪の抑止効果を向上し、ＡＴＭ・ＣＤ内部の現金を狙った犯罪を減少することをその課題とする。
【０００９】
【課題を解決するための手段】
屋外型無人ブース内には、分電盤などの設備機器や備品類の収納を目的とする機械室と呼ばれる部屋が存在し、この部屋は通常施錠されており、関係者以外は入室できないようになっている。
【００１０】
ＡＴＭ・ＣＤは、機械室の壁から装置前面の操作部が飛び出した状態で埋め込み設置される。
【００１１】
ＡＴＭ・ＣＤを破壊する場合は、現金補充やメンテナンス用の扉を最初に攻撃することが多く、ＡＴＭ・ＣＤが前面メンテナンス方式の場合は前から、後面メンテナンス方式の場合は後ろからの攻撃となる。このため、後面メンテナンス方式ではＡＴＭ・ＣＤを破壊するために、機械室内へ侵入する必要があり、前面メンテナンス方式より安全であると考えられている。但し、前面メンテナンス方式は、ＡＴＭ・ＣＤの利用者用スペースが現金補充やメンテナンス用スペースとして使え、機械室がコンパクトとなる利点があるため、前面メンテナンス方式を採用する金融機関も多い。この場合、ＡＴＭ・ＣＤの破壊防止用に、ＡＴＭ・ＣＤ前面を保護カバーで覆う。
【００１２】
よって、屋外型無人ブース内のＡＴＭ・ＣＤを狙った犯罪パターンとして、以下が考えられる。
［後面メンテナンス方式の場合］
ブース外壁で機械室に直接接する壁を破壊して機械室に侵入し、ＡＴＭ・ＣＤを破壊する。
【００１３】
ブース入口扉を破壊しブース内に侵入し、さらに、機械室扉をバール等で破壊するか、錠前をドリル等で破壊して機械室に侵入し、ＡＴＭ・ＣＤを破壊する。
［前面メンテナンス方式の場合］
ブース入口扉を破壊しブース内に侵入し、ＡＴＭ・ＣＤ保護カバーの開閉部や錠前を破壊しＡＴＭ・ＣＤを破壊する。
［前面・後面メンテナンス方式共通］
ブースを大型重機で一気に破壊して、ＡＴＭ・ＣＤを丸ごと強奪する。
【００１４】
本発明におけるブースシステムは、ブース構造を効果的に強化し、さらに、犯罪者にそれを認識させる構造とすることにより、犯罪の抑止効果を向上することに重点を置き以下の構成とする。
【００１５】
機械室は、ブース外壁とは別の壁で四方を囲むようにする。これにより、ブース外壁を破壊して機械室へ侵入することを困難とする。
【００１６】
上記構造を効果的とするため、ブース外壁と機械室壁との間には視覚的に認識できる空間を設ける。
【００１７】
機械室と近接する部分の外壁をより厚くする。これにより、ブース外壁を破壊して機械室へ侵入することを困難とし、ブース外壁で特に機械室付近は防犯が強化してあることを認識させる。
【００１８】
ＡＴＭ・ＣＤの前面は任意の形状の堅牢なカバーで保護し、さらに、カバーの取り外しは、機械室内部から行ことで、ＡＴＭ・ＣＤ前面にカバー開閉部や錠前が無い構造とする。
【００１９】
機械室扉の錠前は、鍵穴が機械室内側にのみ存在し、機械室外側からの施錠・開錠は、機械室扉または壁に空いた開口部から鍵を持った手を内側に入れ、鍵穴に鍵を挿入して行う構造とする。これにより、錠前に対する機械工具による攻撃を困難とする。
【００２０】
上記機械室扉または壁の開口部には、透明な材質の施錠可能な扉をつけ、この扉を開くと通報するように通報装置と連動させる。また、扉を透明な材質とすることで、機械室扉の鍵穴が機械室内側のみに存在することを認識させる。
【００２１】
機械室の柱の一部にＨ型鋼を使用し、大型重機を使用した攻撃でも破壊に時間を要する構造とし、さらに、柱の形状を認識しやすいデザインとすることで、柱の強化を認識させる。
【００２２】
【発明の実施の形態】
本発明の実施の形態について、図によって説明する。図面の斜線部は切断面を示す。
【００２３】
図１は、本発明によるブースシステムの、正面の立面図の一例、図２は、図１の側面の立面図、図３は、図１、２のブースシステムの鳥瞰図、図４は、図１のＡにおける平断面図、図５は、図１と、入口の位置等が異なるブースシステムの平断面図、図６は、図１のＢにおける縦断面図、図７は、図２のＣにおける縦断面図、図８は、本発明によるＡＴＭ・ＣＤの保護カバーの一例（斜め前方鳥瞰図）、図９は、図８の保護カバーの斜め後方鳥瞰図、図１０は、本発明による機械室扉の内側の一例（鳥瞰図）、図１１は、図１０の機械室扉の外側の鳥瞰図、図１２は、図１０に鍵落下防止カバーをつけた鳥瞰図、図１３は、図１１の開口部に扉をつけた鳥瞰図、図１４は、図１０のＤにおける平断面図、図１５は、図１０の錠前の位置を壁側とした平断面図である。
【００２４】
図１〜５に示すような、柱１、壁２ａ、２ｂ、屋根３、床４ａ、天井４ｂ、扉６ａ、窓６ｂ等を持つ任意の形状のブースシステムで、ブース内の機械室は、柱５ａ、壁５ｂ、機械室扉９ａ、ＡＴＭ・ＣＤを埋め込むための開口５ｃで構成さる。柱、壁の材料は、スチールと同等以上の強度を持つ。
【００２５】
ブースの壁２ａと機械室の壁５ｂとの間に空間を設け、機械室内部が２重の壁で守られたことが認識できる構造とする（図４、５参照）。
【００２６】
ブースの壁２ａのうち機械室に隣接する部分に保護パネル２ｃを取付ける。保護パネル２ｃの取り付け位置は、壁２ａの外側（図４）、壁２ａの内側（図５）、あるいは、壁２ａの外・内両側とする。
【００２７】
図６〜９に示すように、ＡＴＭ・ＣＤの前面の保護カバー１０は、ＡＴＭ・ＣＤの操作画面  等ＡＴＭ・ＣＤの利用に支障がない部分を保護する任意の形状である。保護カバー１０は、可動部１０ａ、固定部１０ｂ、可動部と固定部の結合金具１０ｃ、キャスター１０ｄから成り、図６に示すように、可動部１０ａが機械室壁５ｂを貫通し、機械室内で、結合金具１０ｃによって固定部１０ｂに結合されている。固定部１０ｂはブースの床にボルト１０ｅで固定されている。結合金具１０ｃを外すと、可動部１０ａは自立した状態で、キャスターを使って、ＡＴＭ・ＣＤの前方に移動することができる。
【００２８】
図１０、１１に示すように、機械室扉９ａは、機械室内側のみ鍵穴がある錠前９ｂを備え、機械室外側からの施錠・開錠は、鍵を持った手を開口９ｃから機械室内部に入れ、錠前９ｂの鍵穴に鍵を差し込んで行う。扉９ａの開閉は取っ手９ｅを使う。また、図１２に示すように、機械室内側にカバー９ｄを取付けると、機械室内部への鍵の落下を防止することができる。カバー９ｄの上部は開閉するようになっており、機械室内部からも錠前９ｂを施錠できる。さらに、図１３に示すように、開口部９ｃに錠９ｇを備えた透明な扉９ｆを取り付け、９ｆを開くと警備会社に通報するよう通報装置と連動させることができる。扉９ｆを透明な材質とするのは、鍵穴が扉の内側にしかないことを認識させるためである。
【００２９】
図１４に示すように、機械室扉外側から錠前９ｂへの攻撃に備え、硬質な材料の９ｈで錠前９ｂを保護する。また、図９〜１４に示す９ｉは、機械室扉９ａと壁５ｂの隙間を塞ぐもので、隙間へのバール等の攻撃を困難とする。
【００３０】
図１５に示すように、錠前９ｂは機械室壁５ｂ側としても良く。その場合、開口９ｃも機械室壁５ｂ側となる。
【００３１】
図４〜７に示すように、機械室の柱の一部をＨ型鋼５ｄとし、さらにＨ型鋼の特徴である柱の形状を認識できるように柱を配する。図７では、Ｈ型鋼をＡＴＭの上・左・右に配した。
【００３２】
【発明の効果】
機械室の壁を外壁と兼用せず、新たに設けることで、ブース外部から機械室へ侵入するためには、必ず２重の壁を破る必要のある構造とし、さらに、機械室の壁と外壁との間に隙間を設けたことで２重の壁を認識させ、外壁への破壊行為に対し抑止効果を持たせた。
【００３３】
機械室の壁に近接する外壁部分を厚くしたことで、屋外型無人ブースの外壁の破壊行為が困難な構造とし、さらに、部分的に壁を厚くすることで、機械室周りの防犯が強化されていることを認識させ、外壁への破壊行為に対し抑止効果を持たせた。また、コストの増加を最小限とした。
【００３４】
ＡＴＭ・ＣＤ前面の保護カバーは、取り外しを機械室内部から行う構造とし、ＡＴＭ・ＣＤ前面にカバーの開閉部や錠前を無くしたことで、ＡＴＭ前面からの破壊行為をより困難とした。
【００３５】
機械室扉の錠前を、室内側のみに鍵穴が存在する構造としたことで、錠前に対する機械工具による破壊行為を困難とした。
【００３６】
上述の機械室の扉または壁の開口部に、施錠可能な透明な材質の扉を設けたことで、機械室扉の鍵穴が機械室内側のみに存在することを認識させ、機械室扉の錠前への破壊行為に対し抑止効果を持たせた。
【００３７】
機械室の柱の一部にＨ型鋼を使用し、大型重機等による攻撃に対しても、破壊に時間のかかる構造とし、さらに、柱の形状が認識しやすいデザインとすることで、破壊行為に抑止効果を持たせた。
【図面の簡単な説明】
【図１】本発明によるブースシステムの、正面の立面図の一例。
【図２】図１の側面の立面図。
【図３】図１、２のブースシステムの鳥瞰図。
【図４】図１のＡにおける平断面図。
【図５】図１と、入口の位置等が異なるブースシステムの平断面図。
【図６】図１のＢにおける縦断面図。
【図７】図２のＣにおける縦断面図。
【図８】本発明によるＡＴＭ・ＣＤの保護カバーの一例（斜め前方鳥瞰図）。
【図９】図８の保護カバーの斜め後方鳥瞰図。
【図１０】本発明による機械室扉の内側の一例（鳥瞰図）。
【図１１】図１０の機械室扉の外側の鳥瞰図。
【図１２】図１０に鍵落下防止カバーをつけた鳥瞰図。
【図１３】図１１の開口部に扉をつけた鳥瞰図。
【図１４】図１０のＤにおける平断面図。
【図１５】図１０の錠前の位置を壁側とした平断面図。
【符号の説明】
１…柱、２ａ  …壁パネル、２ｂ…コーナーパネル、２ｃ…補強パネル、３…屋根、４ａ…床、４ｂ…天井、５ａ…機械室柱、５ｂ…壁パネル、５ｃ…開口、５ｄ…補強柱（Ｈ型鋼）、６ａ…扉、６ｂ…窓，６ｃ…庇、７…土間、８ａ…笠木、８ｂ…巾木、９ａ…機械室扉、９ｂ…錠前、９ｃ…開口部、９ｄ…鍵落下防止カバー、９ｅ…取っ手、９ｆ…開口部用扉、９ｇ…開口部扉用錠前、９ｈ…保護材、９ｉ…隙間カバー、１０…ＡＴＭ・ＣＤ保護カバー、１０ａ…可動部、１０ｂ…固定部、１０ｃ…結合金具、１０ｄ…キャスター、１０ｅ…ボルト。
【図１】
2004324236.tif 000003
【図２】
2004324236.tif 000004
【図３】
2004324236.tif 000005
【図４】
2004324236.tif 000006
【図５】
2004324236.tif 000007
【図６】
2004324236.tif 000008
【図７】
2004324236.tif 000009
【図８】
2004324236.tif 000010
【図９】
2004324236.tif 000011
【図１０】
2004324236.tif 000012
【図１１】
2004324236.tif 000013
【図１２】
2004324236.tif 000014
【図１３】
2004324236.tif 000015
【図１４】
2004324236.tif 000016
【図１５】
2004324236.tif 000017